(57)【特許請求の範囲】
【請求項１】
乗車券と特急券のようにそれぞれが同時に使用され種類が異なっている２種類の券種の各々の券種に関する情報が乗車に関する情報とともに記憶されている１葉化券と、それらの２種類の券種の各々の券種に関する情報と乗車に関する情報とを記憶している２葉化券のいずれもが投入可能な投入口と、  前記投入口に投入された券が出場のための券か入場のための券かを検出することができ、前記投入口に投入された１葉化券若しくは２葉化券に記憶されている、券種に関する情報および乗車に関する情報を読取る読取手段と、
前記読取手段により読取られた券種に関する情報から、投入された券が１葉化券か２葉化券かを判別する券種判別手段と、
前記券種判別手段の判別結果が、１葉化券であれば前記読取手段により読取られた乗車に関する情報が正当であるか否かを判別し、２葉化券であれば前記読取手段により２葉化券のそれぞれから読取られた乗車に関する情報が正当であるか否かを判別する真偽判別手段と、
前記真偽判別手段が前記乗車に関する情報を正当であると判別した場合、乗客の通行を許可し、前記真偽判別手段が前記乗車に関する情報を正当でないと判別した場合、乗客の通行を許可しない通行許可手段と、
出場用として設置される場合は、前記通行許可手段で通行が許可されたことを条件として、投入された券が１葉化券のときはその券を返却し、２葉化券のときは一方の券を返却し、入場用として設置される場合は、前記通行許可手段で通行が許可されたことを条件として、投入された券を全て返却する返却手段と、を備えた自動改札機。
【請求項２】
前記返却手段は、前記真偽判別手段が前記乗車に関する情報を正当でないと判別した場合、乗客の出場、入場に関係なく、投入された１葉化券、または２葉化券の両方を返却する請求項１に記載の自動改札機。
【請求項３】
乗車券と特急券のようにそれぞれが同時に使用され種類が異なっている２種類の券種の各々の券種に関する情報が乗車に関する情報とともに記憶されている１葉化券と、それらの２種類の券種の各々の券種に関する情報と乗車に関する情報とを記憶している２葉化券のいずれもが投入可能な投入口と、  前記投入口に投入された券が出場のための券か入場のための券かを検出することができ、前記投入口に投入された１葉化券若しくは２葉化券に記憶されている、券種に関する情報および乗車に関する情報を読取る読取手段と、
前記読取手段により読取られた券種に関する情報から、投入された券が１葉化券か２葉化券かを判別する券種判別手段と、
前記券種判別手段の判別結果が、１葉化券であれば前記読取手段により読取られた乗車に関する情報が正当であるか否かを判別し、２葉化券であれば前記読取手段により２葉化券のそれぞれから読取られた乗車に関する情報が正当であるか否かを判別する真偽判別手段と、
前記真偽判別手段が前記乗車に関する情報を正当であると判別した場合、乗客の通行を許可し、前記真偽判別手段が前記乗車に関する情報を正当でないと判別した場合、乗客の通行を許可しない通行許可手段と、
を備えた自動改札機。
【発明の詳細な説明】
【０００１】
【０００１】
【０００２】
【産業上の利用分野】
この発明は１葉化券および２葉化券を取込むことのできる自動改札機に関する。
【０００３】
【０００２】
【０００４】
【従来の技術】
従来の自動改札機は、１枚の券に対して１人しか自動改札機を通過することができず、乗車券と特急券とが別々になった２葉化券などを所持している乗客は自動改札機を通過することができなかった。
【０００５】
【０００３】
従って、このような自動改札機を、例えば、新幹線のように１葉化券（ビジネス回数券のように乗車券と特急券が１枚になった券）と前記２葉化券とが混在する状況下に設置すると、１葉化券を所持した乗客しか自動改札機を利用することはできず、２葉化券を所持した乗客は有人ラッチと呼ばれる有人の改札口を利用しなければならなかった。従って、改札口の自動化を図るという自動改札機の本来の目的を達成できなくなってしまう問題点があった。
【０００６】
【０００４】
【０００７】
【発明が解決しようとする課題】
そこで、本発明は上記問題点に鑑み、新幹線のように１葉化券と２葉化券が混在する状況下でも利用できる自動改札機を提供することにより、上記問題点を解決し、もって、改札業務を自動化し、改札口における乗客の流れをスムーズにすることによって乗客へのサービスを向上させることを目的とする。
【０００８】
【０００５】
【０００９】
【課題を解決するための手段】
本発明は、上記目的を達成するために、
（１）乗車券と特急券のようにそれぞれが同時に使用され種類が異なっている２種類の券種の各々の券種に関する情報が乗車に関する情報とともに記憶されている１葉化券と、それらの２種類の券種の各々の券種に関する情報と乗車に関する情報とを記憶している２葉化券のいずれもが投入可能な投入口と、  前記投入口に投入された券が出場のための券か入場のための券かを検出することができ、前記投入口に投入された１葉化券若しくは２葉化券に記憶されている、券種に関する情報および乗車に関する情報を読取る読取手段と、
前記読取手段により読取られた券種に関する情報から、投入された券が１葉化券か２葉化券かを判別する券種判別手段と、
前記券種判別手段の判別結果が、１葉化券であれば前記読取手段により読取られた乗車に関する情報が正当であるか否かを判別し、２葉化券であれば前記読取手段により２葉化券のそれぞれから読取られた乗車に関する情報が正当であるか否かを判別する真偽判別手段と、
前記真偽判別手段が前記乗車に関する情報を正当であると判別した場合、乗客の通行を許可し、前記真偽判別手段が前記乗車に関する情報を不当であると判別した場合、乗客の通行を許可しない通行許可手段と、
出場用として設置される場合は、前記通行許可手段で通行が許可されたことを条件として、投入された券が１葉化券のときはその券を返却し、２葉化券のときは一方の券を返却し、入場用として設置される場合は、前記通行許可手段で通行が許可されたことを条件として、投入された券を券種にかかわらず返却する返却手段と、を備えたものである。
【００１０】
【０００６】
【００１１】
【作用】
新幹線の改札口に設置される自動改札機に、券種に関する情報（以下、券種情報という。）および乗車に関する情報（以下、乗車情報という。）を記憶した１葉化券若しくは２葉化券を投入し、当該券の券種情報を読取る。その結果、投入された券が１葉化券であると判断された場合、当該１葉化券に記憶されている乗車情報を読取る。また、投入された券が２葉化券であると判断された場合、２葉化券のそれぞれの券に記憶されている乗車情報を読取る。そして、それらの券の乗車情報が正当な情報であると判断された場合は、１葉化券若しくは２葉化券を返却する（２葉化券の場合、出場の際には乗車券のみ返却する）と共に、自動改札機の扉を開放して乗客を通過させる。また、それらの券の乗車情報が正当なものでないと判断された場合は自動改札機の扉を閉じて乗客の通過を阻止する。
【００１２】
【０００７】
【００１３】
【実施例】
図１は新幹線の改集札口に設置される自動改札機の全体図である。１は１葉化券や２葉化券を投入する投入口である。２は本発明を構成する読取手段たる磁気ヘッドであり、１葉化券や２葉化券から券種情報や乗車情報を読取る。ここで、乗車情報とは、例えば、乗車駅、降車駅、普通料金、有効期間、発行年月日、大人、小人、特急料金などに関する情報であり、また、券種情報とは、当該券が１葉化券か２葉化券であるかを認識するための情報であって、更に、２葉化券については券が２葉化券の内の１枚目か２枚目か、即ち、乗車券であるか特急券であるかを認識するための情報である。３は券保留ソレノイドであり、読取った券を一時保留するために用いられる。４は特急券の回収部、５は券を搬送するベルトである。６は乗客検知センサであり、乗客が通過したことを検知し、また、人間の通過方向を検知するために数箇所設置されている。７は扉であり、不正な券が投入された場合に扉を閉じて乗客の通行を阻止するものである。
【００１４】
以上の構成で、投入口１に投入された券には、周知のように入場したことを示す情報が記録される。
【００１５】
【０００８】
図２は１葉化券の磁気フォーマットの１例である。１葉化券８については、磁気ストライプ９に乗車情報が記憶されており、また、磁気ストライプ１０に当該券は１葉化券であることを示す券種情報が記憶されているものとする。
【００１６】
【０００９】
図３は２葉化券の１枚目である乗車券１１ａの磁気フォーマットの１例である。磁気ストライプ１２ａには乗車情報の内の特急料金に関する情報を除いたものが記憶されており、磁気ストライプ１３ａに当該券は２葉化券の内の１枚目、即ち、乗車券であることを示す券種情報が記憶されている。
【００１７】
【００１０】
図４は２葉化券の２枚目である特急券１１ｂの磁気フォーマットの１例である。磁気ストライプ１２ｂには乗車情報の内の特急料金に関する情報が記憶されており、磁気ストライプ１３ｂに当該券は２葉化券の内の２枚目、即ち、特急券であることを示す券種情報が記憶されている。
【００１８】
【００１１】
図５は、本発明の自動改札機のブロック図である。１４は本発明に係る自動改札機の制御を行うＣＰＵであり、本発明の券種判別手段、真偽判別手段、および通行許可手段を構成する。１５は自動改札機の制御プログラムを記憶するＲＯＭである。１６はＲＡＭであり、上記１葉化券８および２葉化券１１ａ、ｂの磁気ストライプから読取った情報および、正当な普通料金、特急料金、有効年月日、発行年月日、大人、小人に関する情報を記憶する。１７は入出力装置とＣＰＵ１４，ＲＯＭ１５，ＲＡＭ１６とデータを通信するための媒体たるデータバスである。また、２は磁気ヘッドであり上記１葉化券８および２葉化券１１ａ、ｂの磁気情報を読取る。６は人間検知センサであり乗客の通過を検知する。２０は券をベルト５により搬送する搬送制御部、２１は特急券１１ｂを保留部４に搬送し、保留するための保留制御部である。
【００１９】
【００１２】
図６は、上記ＲＡＭ１６のメモリマップである。２２は磁気ヘッドによって読取られた情報を記憶するためのＥ１エリアであり、２３は予め正当な乗車情報が記憶されているＥ２エリアである。
【００２０】
【００１３】
次に、入場若しくは出場する際に１葉化券８を投入した場合の動作について、図７のフローチャートに基づいて説明する。尚、初期状態では、自動改札機の出口側の扉７は閉状態に保たれているものとする。
【００２１】
【００１４】
まず、乗客が乗車情報および券種情報を磁気記憶した１葉化券８を投入口１に投入する（ステップＳ１（以下、ステップＳｉを単にＳｉという））。当該投入された１葉化券８は、ベルト５により磁気ヘッド２の読取位置まで移動され、そこで、磁気ヘッド２によって１葉化券８の磁気ストライプ９に磁気記憶された乗車情報および磁気ストライプ１０に磁気記憶された券種情報が読取られる（Ｓ２）。当該１葉化券８から読取れられた券種情報および乗車情報はＲＡＭ１６のＥ１エリア２２に一時記憶され（Ｓ３）、まず、券種情報について、１葉化券であるか否かがＣＰＵによって判別される（Ｓ４）。この判別により、当該投入された券が１葉化券であると判別された場合、当該１葉化券を一時保留し（Ｓ５）、当該１葉化券から読取った乗車情報と予めＲＡＭ１６のＥ２エリア２３に記憶されている正当な乗車駅、乗車料金、大人、小人などに関する情報とを比較して真偽の判定をする（Ｓ６）。尚、入場の場合は、前記投入された券の発行年月日や区間などの情報が比較される。その結果、当該１葉化券８から読込まれた情報が正当なものと判断された場合、扉７を開く（Ｓ７）と共に、入場の場合（Ｓ８）または出場する場合（Ｓ９）には当該１葉化券を返却する（Ｓ１０）。また、その際、人間検知センサにより通過人数を検知し（Ｓ１１）、乗客が１人通過すれば扉７を閉じて（Ｓ１２）２人以上の通過を阻止する。また、ステップＳ６において当該１葉化券８から読込まれた情報が正当でないと判断された場合は、当該１葉化券を返却する（Ｓ１３）と共に、扉７を閉じて乗客の通行を阻止する（Ｓ１２）。
【００２２】
【００１５】
次に、乗客が２葉化券１１ａ、１１ｂを投入口１に投入する場合について図７のフローチャートに基づいて説明する。乗車券１１ａおよび特急券１１ｂの投入順序はどちらが先に投入されてもよいものであるが、説明の便宜上、投入口１に特急券１１ｂ、乗車券１１ａの順に投入されるものとする。特急券１１ｂが投入口１に投入されると（Ｓ１）、ベルト５により磁気ヘッド２まで移動され、特急券１１ｂの磁気ストライプ１３ｂから券種情報、即ち、当該券は２葉化券の内の２枚目、即ち、特急券であるという情報を読取り、また、磁気ストライプ１２ｂから乗車情報、即ち、特急料金に関する情報を読込んで（Ｓ２）ＲＡＭ１６のＥ１エリア２２に記憶する（Ｓ３）。その際、ＣＰＵは２葉化券が２枚とも投入されたか否かを判断した後（Ｓ１４）投入されていない場合は、２葉化券の１枚目である乗車券１１ａの情報を読取るべく、特急券１１ｂを券保留ソレノイド３まで移動させて一時保留する（Ｓ１５）。次に乗車券１１ａが投入されると（Ｓ１）磁気ヘッド２により、磁気ストライプ１３ａから当該券の種類は２葉化券の内の１枚目であるという券種情報、および、磁気ストライプ１２ａから乗車駅、乗車料金、有効年月日、発行年月日、大人、小人などの乗車情報を読取って（Ｓ２）ＲＡＭ１６のＥ１エリア２２に一時記憶する（Ｓ３）。そして、２葉化券が２枚とも投入されると、当該券を一時保留し（Ｓ５）、その間にＣＰＵは当該２葉化券から読取った特急券１１ｂ、乗車券１１ａに関する情報を、ＲＡＭ１６のＥ２エリア２３に記憶されている正当な特急券、乗車券に関する情報と比較して真偽の判定をする（Ｓ６）。尚、入場の場合は、前述のように発行年月日や区間などの情報が比較される。その結果、それらの券が正当に購入されたものであるとＣＰＵによって判断された場合、出口側の扉７を開いて（Ｓ７）乗客が通過できるようにする。そして、入場の場合（Ｓ８）は２葉化券１１ａ、１１ｂを両方とも返却し（Ｓ１０）、また、出場の場合（Ｓ８）は２葉化券の内の乗車券１１ａのみを返却する（Ｓ１６）。また、ステップＳ６において、当該２葉化券１１ａ、１１ｂから読込まれた情報が正当でないと判断された場合は、券保留ソレノイド３に保留されている乗車券１１ａ、および特急券１１ｂを同時に返却すると共に（Ｓ１３）、扉７を閉じて（Ｓ１２）乗客の通行を阻止する。
【００２３】
【００１６】
【００２４】
【発明の効果】
本発明により、新幹線のように１葉化券と２葉化券が混在する状況下でも自動改札機を設置することができるため、改札業務を自動化することができ、もって、駅務の省力化を図ることができる。また、乗客にとっても、改札口を通過する際、係員に１葉化券や２葉化券を提示して検札や回収などを行なってもらう必要がないため迅速に改札口を通過することができるという効果を得ることができる。
【図面の簡単な説明】
【図１】自動改札機の全体図
【図２】１葉化券の磁気フォーマットの１例
【図３】２葉化券の乗車券に関する磁気フォーマットの１例
【図４】２葉化券の特急券に関する磁気フォーマットの１例
【図５】自動改札機のブロック図
【図６】ＲＡＭのメモリマップ
【図７】自動改札機の動作フロー
【符号の説明】
１  投入口
２  磁気ヘッド
３  券保留ソレノイド
４  回収部
８  １葉化券
９  乗車情報用の磁気ストライプ
１０  券種情報用の磁気ストライプ
１１ａ  ２葉化券の乗車券
１１ｂ  ２葉化券の特急券
１２ａ  乗車情報用の磁気ストライプ
１２ｂ  乗車情報用の磁気ストライプ
１３ａ  券種情報用の磁気ストライプ
１３ｂ  券種情報用の磁気ストライプ
１４  ＣＰＵ
【図１】
0003673287.tif 000002
【図２】
0003673287.tif 000003
【図３】
0003673287.tif 000004
【図４】
0003673287.tif 000005
【図５】
0003673287.tif 000006
【図６】
0003673287.tif 000007
【図７】
0003673287.tif 000008